(57)【要約】  【課題】ミネラル水生成ユニットでミネラル水を生成する際に同時に次亜塩素酸濃度を上昇させ、冷水タンクの殺菌を効率よく行なうことができるミネラル水供給装置を提供する。  【解決手段】ミネラル水生成ユニット１は一対のミネラル水溶出電極１４２ａ，１４２ｂを通じて電解槽１４０内の原水に直流電圧を印加するようになっているため、各電極１４２ａ，１４２ｂへの通電によりミネラル水が生成されると同時に水に含まれている塩素イオンが反応して次亜塩素酸濃度が上昇する。そして、この次亜塩素酸濃度が上昇したミネラル水がポンプ３により、冷水タンク４及び温水タンク５に給送される。従って、各タンク４，５に貯留されたミネラル水は次亜塩素酸濃度の高い（殺菌機能に優れた）ミネラル水となる。【選択図】  図１
2005118738.tif 000002
【特許請求の範囲】
【請求項１】
水道水等の原水が給水管から供給される電解槽内に、ミネラル成分を溶出するミネラル溶出物を配置すると共に、直流電圧が印加される陰陽一対のミネラル溶出用電極を配置したミネラル水生成ユニットと、
前記ミネラル水生成ユニットにて生成されたミネラル水を浄化する浄水槽と、
前記ミネラル水生成ユニットにて生成されたミネラル水を供給するポンプと、
前記浄水槽から流出したミネラル水を加熱する温水タンクと、
前記温水タンクの取水を制御する温水供給バルブと、
前記浄水槽から流出したミネラル水を冷却する冷水タンクと、
前記冷水タンクの取水を制御する冷水供給バルブとを備えた
ミネラル水供給装置。
【請求項２】
前記浄水槽は少なくとも一以上配置してなるとともに、浄化部材は活性炭又は活性炭と中空糸膜の両者を用いた
ことを特徴とする請求項１記載のミネラル水供給装置。
【請求項３】
前記ミネラル水生成ユニット、前記浄水槽及び前記ポンプを備えたミネラル水生成浄化部と、前記温水タンク、前記冷水タンク、前記温水供給バルブ及び前記冷水供給バルブを備えた冷温水生成部とを、互いにに分離可能に接続し、
前記冷温水生成部は前記温水タンク及び前記冷水タンクにミネラル水を供給する水タンクが接続可能となっている
ことを特徴とする請求項１又は請求項２記載のミネラル水供給装置。
【請求項４】
前記給水管の上流にプレ活性炭フィルタ装置を設置した
ことを特徴とする請求項１乃至請求項３の何れか一項記載のミネラル水供給装置。
【請求項５】
前記冷水タンク内の冷水を前記ミネラル水生成ユニットに戻す戻し管を有するとともに、該戻し管には通水を制御する開閉弁を設けた
ことを特徴とする請求項１乃至請求項４の何れか一項記載のミネラル水供給装置。
【請求項６】
前記ミネラル水生成ユニットで生成されたミネラル水を前記浄水槽を迂回して前記温水タンク及び前記冷水タンクに導くバイパス管を設けた
ことを特徴とする請求項５記載のミネラル水供給装置。
【請求項７】
前記各バルブが所定時間に亘って閉じているときは、前記ミネラル水生成ユニット内のミネラル水を前記冷水タンクに供給する一方、前記戻し管を通じて該ミネラル水生成ユニット内に戻すミネラル水循環路を形成した
ことを特徴とする請求項５又は請求項６記載のミネラル水供給装置。
【請求項８】
前記各バルブが所定時間に亘って閉じているときは、前記ミネラル水生成ユニットの前記ミネラル溶出用電極に直流電圧を印加するよう制御する
ことを特徴とする請求項１乃至請求項７の何れか一項記載のミネラル水供給装置。
【請求項９】
前記ミネラル溶出用電極へ直流電圧を印加するときは、該ミネラル溶出用電極の極性を切り換えるよう制御する
ことを特徴とする請求項８記載のミネラル水供給装置。
【請求項１０】
炭酸ガス装置の炭酸ガスを前記冷水タンクから取水する冷水取水管に供給する炭酸ガス供給管を有するとともに、該炭酸ガス供給管にガス開閉弁を設けた
ことを特徴とする請求項１乃至請求項９の何れか一項記載のミネラル水供給装置。
【請求項１１】
炭酸ガス装置の炭酸ガスを前記冷水タンクに供給する炭酸ガス供給管を有するとともに、該炭酸ガス供給管にガス開閉弁を設けた
ことを特徴とする請求項１乃至請求項９の何れか一項記載のミネラル水供給装置。
【請求項１２】
前記浄水槽から流出したミネラル水を受水するカーボネータタンクを前記冷水タンクとは別個に設け、
炭酸ガス装置の炭酸ガスを前記カーボネータタンクに供給する炭酸ガス供給管を有するとともに、該炭酸ガス供給管にガス開閉弁を設けた
ことを特徴とする請求項１乃至請求項９の何れか一項記載のミネラル水供給装置。
【請求項１３】
前記炭酸ガス装置の炭酸ガスを前記温水タンクに供給する炭酸ガス供給管を有するとともに、該炭酸ガス供給管にガス開閉弁を設けた
ことを特徴とする請求項１１又は請求項１２に記載のミネラル水供給装置。
【請求項１４】
前記温水タンクには温水を排水する排水管を設けるとともに、該排水管には排水弁を設けた
ことを特徴とする請求項１３記載のミネラル水供給装置。
【請求項１５】
前記冷水タンクの炭酸水を前記温水タンクに導く炭酸水供給管を有するとともに、前記ミネラル水生成ユニットから前記温水タンクに導水されるミネラル水と該炭酸水供給管から前記温水タンクに導水される炭酸水とを択一的に流水させる弁機構を有する
ことを特徴とする請求項１１記載のミネラル水供給装置。
【請求項１６】
前記カーボネータタンクの炭酸水を前記温水タンクに導く炭酸水供給管を有するとともに、前記ミネラル水生成ユニットから前記温水タンクに導水されるミネラル水と該炭酸水供給管から前記温水タンクに導水される炭酸水とを択一的に流水させる弁機構を有する
ことを特徴とする請求項１２記載のミネラル水供給装置。
【請求項１７】
前記炭酸ガス装置の炭酸ガスを前記ミネラル水生成ユニットから流水するミネラル水に混入するよう配管したガス流通管を有するとともに、該ガス流通管にガス開閉弁を設けた
ことを特徴とする請求項１１記載のミネラル水供給装置。
【請求項１８】
前記冷水タンクの炭酸水を前記ミネラル水生成ユニットから流水するミネラル水に混入するよう配管した炭酸水供給管を有するとともに、該炭酸水供給管に炭酸水供給弁を設けた
ことを特徴とする請求項１１記載のミネラル水供給装置。
【請求項１９】
前記カーボネータタンクの炭酸水を前記ミネラル水生成ユニットから流水するミネラル水に混入するよう配管した炭酸水供給管を有するとともに、該炭酸水供給管に炭酸水供給弁を設けた
ことを特徴とする請求項１２記載のミネラル水供給装置。
【発明の詳細な説明】
【技術分野】
【０００１】
本発明は、天然水等の飲料水を冷却又は加温して供給するミネラル水供給装置に関するものである。
【背景技術】
【０００２】
従来、この種のミネラル水供給装置として、特開２０００−３３５６９１号公報（特許文献１）に記載されたものが知られている。
【０００３】
このミネラル水供給装置は、ミネラル水が収容されたミネラル水容器と、ミネラル水容器から導水されたミネラル水を受容し冷却する冷水タンクと、ミネラル水容器から導水されたミネラル水を受容し加熱する温水タンクとを備えている。ミネラル水の取水者が冷水を所望するときは冷水タンク内のミネラル水を供給し、また、温水を所望するときは温水タンク内のミネラル水を供給する。
【０００４】
このミネラル水供給装置において、温水タンクの温水はヒータ等により常に８０〜９０℃に保持されているため、温水タンク内での細菌の繁殖予防策はさほど必要としない。しかしながら、冷水タンク内で冷水タンクが長期間に亘って貯留されるときは、冷水タンク内で細菌が繁殖するおそれがあるため、冷水の浄化が必要不可欠となっていた。
【０００５】
そこで、特許文献１に記載されたミネラル水供給装置は、冷水タンクに紫外線ランプを備えた紫外線殺菌装置を設置しており、紫外線殺菌装置から冷水タンク内に紫外線を照射し、冷水タンク内での細菌の繁殖を防止していた。
【特許文献１】特開２０００−３３５６９１号公報
【発明の開示】
【発明が解決しようとする課題】
【０００６】
しかしながら、前記従来のミネラル水供給装置では、紫外線ランプが消耗品であるため、ランニングコストが割高になるという問題点を有していた。
【０００７】
また、特許文献１に記載された発明とは別に、細菌の繁殖を抑制或いは死滅させる薬剤を定期的に冷水タンクに供給し、冷水タンク内の洗浄を行なう方法も提案されている。
【０００８】
しかしながら、この洗浄方法を採用するときは冷水タンクの洗浄のために、定期的なメンテナンスが必要となり、煩雑なものとなっていた。
【０００９】
本発明の目的は前記従来の問題点に鑑み、ミネラル水生成ユニットでミネラル水を生成する際に同時に次亜塩素酸濃度を上昇させ、冷水タンクの殺菌を効率よく行なうことができるミネラル水供給装置を提供することにある。
【課題を解決するための手段】
【００１０】
本発明は前記課題を解決するため、水道水等の原水が給水管から供給される電解槽内に、ミネラル成分を溶出するミネラル溶出物を配置すると共に、直流電圧が印加される陰陽一対のミネラル溶出用電極を配置したミネラル水生成ユニットと、前記ミネラル水生成ユニットにて生成されたミネラル水を浄化する浄水槽と、前記ミネラル水生成ユニットにて生成されたミネラル水を供給するポンプと、前記浄水槽から流出したミネラル水を加熱する温水タンクと、前記温水タンクの取水を制御する温水供給バルブと、前記浄水槽から流出したミネラル水を冷却する冷水タンクと、前記冷水タンクの取水を制御する冷水供給バルブとを備えた構造となっている。
【００１１】
本発明によれば、ミネラル水生成ユニットは一対のミネラル水溶出電極を通じて電解槽内の原水に直流電圧を印加するようになっているため、各電極への通電によりミネラル水が生成されると同時に水に含まれている塩素イオンが反応して次亜塩素酸濃度が上昇する。そして、この次亜塩素酸濃度が上昇したミネラル水がポンプにより、冷水タンク及び温水タンクに給送される。従って、各タンクに貯留されたミネラル水は次亜塩素酸濃度の高い（殺菌機能に優れた）ミネラル水となっている。
【００１２】
なお、冷水タンク内の冷水をミネラル水生成ユニットに戻す戻し管を設け、冷水タンクとミネラル水生成ユニットとの間でミネラル水を循環させるようにしてもよい。これにより、冷水タンク内の次亜塩素酸濃度の低下を抑制することができる。
【００１３】
また、炭酸ガス装置の炭酸ガスを冷水タンク内に供給するようにしてもよい。この結果、冷水タンク内で炭酸水が生成され、炭酸水の殺菌作用により、細菌の繁殖を抑制することができる。
【発明の効果】
【００１４】
本発明によれば、ミネラル水生成ユニットの各電極に通電することにより、ミネラル水が形成されると同時に水の電気分解により有効塩素が発生し、冷水タンク内の細菌の繁殖を抑制できる。従って、細菌の繁殖を抑制するための特別の装置が不要となる。
【発明を実施するための最良の形態】
【００１５】
図１乃至図３は本発明に係るミネラル水供給装置の第１実施形態を示すもので、図１はミネラル水供給装置の概略断面図、図２はミネラル水生成ユニットの正面断面図、図３はミネラル水生成ユニットの側面断面図である。
【００１６】
まず、図１を参照してミネラル水供給装置の概略構成を説明する。ミネラル水供給装置は、ミネラル水を生成するミネラル生成ユニット１と、浄水槽２と、ポンプ３と、冷水タンク４と、温水タンク５と、冷水供給バルブ６ａと、温水供給バルブ６ｂと、給水バルブ６ｃとを有している。
【００１７】
この給水バルブ６ｃは水道管をミネラル水生成ユニット１に通水する給水管７ａに設置されている。ミネラル水生成ユニット１から出水されたミネラル水は第１取水管８ａを通じて浄水槽２に給送される。浄水槽２から出水されたミネラル水はポンプ３が配置された第２取水管８ｂを通じて送水される。第２取水管８ｂの先端側は２つに分岐されており、一方の分岐管８ｂ１には冷水タンク４が配置され、他方の分岐管８ｂ２には温水タンク５が配置されている。冷水タンク４から取水される冷水は冷水供給バルブ６ａが配置された冷水取水管８ｃを通じて冷水取水者に供給される。温水タンク５から取水される温水は温水供給バルブ６ｂが配置された温水取水管８ｄを通じて温水取水者に供給される。
【００１８】
このような水機器の配管において、ミネラル水生成ユニット１は図２及び図３に示すように構成されている。即ち、ミネラル水生成ユニット１は、偏平箱状の槽本体１１０を有しており、その内部は通水可能な仕切板１２０を介して上方に仕切られており、仕切板１２０の上方には水道水が給水される貯留槽１３０を形成し、仕切板１２０の下方には水を電気分解する電解槽１４０を形成している。
【００１９】
貯留槽１３０は、その上板に水道水を導入する導水筒１３１を設け、水道水を貯留槽１３０内に導水している。また、貯留槽１３０には水位検知器１３２が設置されており、フロート１３２ａの上下動により上位及び下位をマイクロスイッチ１３２ｂが検知し、この検知信号に基づき前記給水弁６ｃを開閉させ、貯留槽１３０内の水位を所定レベルに維持している。また、貯留槽１３０内には案内板１３３が設置されており、導水筒１３１から給水された水道水を中央寄りに導き貯水槽１３０全体に水道水が流れるようにしている。なお、１３４は許容量以上の水を排水するオーバーフロー管である。
【００２０】
電解槽１４０内には偏平ケースに充填された複数のミネラル溶出物１４１（コーラルサンド、麦飯石、ミネラル石等を粒状又は紛状にしたもの）と複数の陰陽一対の電極１４２ａ，１４２ｂを交互に配置しており、ミネラル溶出物１４１を間にして各電極１４２ａ，１４２ｂに直流電圧を印加し、これにより、ミネラル溶出物１４１からミネラル分を溶出するようになっている。これを詳述すれば、各電極１４２ａ，１４２ｂに直流電圧を印加するとき、陽極１４２ａ側では、４Ｈ2Ｏ→４Ｈ+＋２Ｏ2＋４ｅ-となり、水素イオン濃度が上昇し酸性水が生成される。一方、陰極１４２ｂ側では４Ｈ2Ｏ＋４ｅ-→２Ｈ2＋４ＯＨ-となり、アルカリ水が生成される。ここで、ミネラル溶出物１４１（例えば；炭酸カルシウム：ＣａＣＯ3）が酸性水と反応して、ＣａＣＯ3 ＋２Ｈ+→Ｃａ2+＋Ｈ2Ｏ＋ＣＯ2となり、ミネラルイオン（Ｃａ2+）が溶出する。
【００２１】
なお、各電極１４２ａ，１４２ｂの端子１４２ｃは仕切板１２０を貫通して貯留槽１３０の上板から突出し、電源に接続している。
【００２２】
電解槽１４０の下方には電解槽１４０内で生成されたミネラル水を合流させる合流室１５０が設置されており、合流室１５０内に流れたミネラル水を導出筒１５１を通じて蛇口等の端末に流すようになっている。
【００２３】
このように構成することにより、図１及び図２の矢印に示すように、水道水が導水筒１３１→仕切板１２０→電解槽１４０→合流室１５０→導出筒１５１→蛇口（注ぎ口）と流れ、ミネラル水が供給される。
【００２４】
浄水槽２は内部に活性炭等のフィルタが充填されており、ミネラル水のカルキ臭、カビ臭、トリハロメタン、有機物等を吸着除去するようになっている。
【００２５】
冷水タンク４は周囲に冷却コイル４１を巻回したもので、冷却コイル４１に図示しない冷凍機の冷媒を循環させ、冷水タンク４に貯留されているミネラル水を冷却するようになっている。
【００２６】
温水タンク５は内部にヒータ５１を配置したもので、ヒータ加熱により温水タンク５に貯留されているミネラル水を加熱するようになっている。
【００２７】
本実施形態によれば、ミネラル水生成ユニット１で生成されたミネラル水はポンプ３の駆動により、ミネラル水生成ユニット１→第１取水管８ａ→浄水槽２→第２取水管８ｂ→冷水タンク４及び温水タンク５と順次流れ、冷却されたミネラル水や加温されたミネラル水が供給可能となる。
【００２８】
また、ミネラル水生成ユニット１で生成されたミネラル水は陰陽一対の１４２ａ，１４２ｂに直流電圧を印加して生成されるため、塩素イオン含有水の電気分解により有効塩素濃度が高くなっており、従来の如く別個に薬剤等を使用することなく、冷水タンク４内の細菌の繁殖を効率良く抑制することができる。
【００２９】
図４は本発明に係るミネラル水供給装置の第２実施形態を示すものである。前記第１実施形態と同一構成部分は同一符号を用いて説明する。この実施形態は第２取水管８ｂに浄水槽２とは別個に他の浄水槽２ａを設置している。浄水槽２ａは例えば中空糸膜モジュールを充填したもので、原虫や雑菌を捕捉するようになっている。
【００３０】
本実施形態によれば、一方の浄水槽２ではカルキ臭、カビ臭、トリハロメタン、有機物等を吸着除去する一方、他方の浄水槽２ａでは原虫や雑菌を捕捉し、ミネラル水の浄化機能が更に向上する。なお、他方の浄水槽２ａのフィルタ部材は活性炭と中空糸膜モジュールの両者を充填したものであってもよい。その他の構成作用は前記第１実施形態と同様であるため、その説明を省略する。
【００３１】
図５は本発明に係るミネラル水供給装置の第３実施形態を示すものである。前記第２実施形態と同一構成部分は同一符号を用いている。この実施形態は冷水タンク４内のミネラル水をミネラル水生成ユニット１に戻す戻し管８ｅを設けている。戻し管８ｅの一端は冷水取水管８ｃのうち冷水タンク４と冷水供給バルブ６ａとの間に接続し、他端はミネラル水生成ユニット１に接続している。また、戻し管８ｅには戻し管８ｅ内の通水を制御する戻しバルブ６ｄを設置している。
【００３２】
本実施形態によれば、戻しバルブ６ｄを開き、また、ポンプ３を駆動するときは、冷水タンク４内のミネラル水が、実線矢印に示すように、冷水取水管８ｃ→戻し管８ｅ→戻しバルブ６ｄ→ミネラル水生成ユニット１と順次流れる。また、ミネラル水生成ユニット１のミネラル水は前記第２実施形態と同様に冷水タンク４内に流入する。
【００３３】
このように、冷水タンク４のミネラル水をミネラル水生成ユニット１で新たに生成されたミネラル水と置換することができるので、冷水タンク４内のミネラル水の次亜塩素酸濃度を所望の値に維持することができるし、また、ミネラル水の供給配管系の殺菌機能も発揮される。
【００３４】
また、ミネラル水生成ユニット１の各電極１４２ａ，１４２ｂに直流電圧を印加しながらミネラル水を循環するときは、ミネラル水の供給配管系の殺菌機能が更に向上する。
【００３５】
更に、前記直流電圧印加のタイミングは冷水給水バルブ６ａ及び温水供給バルブ６ｂが閉じているときに行われる。更にまた、直流電圧の極性を切り替えて各電極１４２ａ，１４２ｂに印加するときは、電極に付着しているスケールを除去することができる。
【００３６】
なお、その他の構成作用は前記第２実施形態と同様であるため、その説明を省略する。
【００３７】
図６は本発明に係るミネラル水供給装置の第４実施形態を示すものである。前記第２実施形態と同一構成部分は同一符号を用いている。この実施形態は第２取水管８ｂにミネラル水タンク９が接続可能となっている。このミネラル水タンク９はミネラル水が貯留されたもので、ミネラル水供給管８ｆを通じて第２取水管８ｂに接続している。また、ミネラル水供給管８ｆには止水栓６ｅを設け、第２取水管８ｂのうちポンプ３の下流側には他の止水栓６ｆを設けている。各止水詮６ｅ，６ｆはミネラル水供給管８ｆ及び第２取水管８ｂを分離可能となっている。
【００３８】
本実施形態によれば、ミネラル水生成ユニット１、浄水槽２，２ａ及びポンプ３を備えたミネラル水生成浄化部Ａと、温水タンク５、冷水タンク４、温水供給バルブ８ｄ及び冷水供給バルブ８ｃを備えた冷温水生成部Ｂとを、互いにに分離可能になっている。この結果、止水栓６ｆを境にミネラル水生成浄化部Ａと冷温水生成部Ｂとを分離するときは、ミネラル水タンク９のミネラル水が冷水タンク４及び温水タンク５に供給される。一方、止水栓６ｅを境にミネラル水タンク９を外すときは、前記第２実施形態と同様にミネラル水生成ユニット１のミネラル水が供給される。このように、ミネラル水生成ユニット１又はミネラル水タンク９の何れのミネラル水を選択的に利用することができる。なお、その他の構成作用は前記第２実施形態と同様であるため、その説明を省略する。
【００３９】
図７は本発明に係るミネラル水供給装置の第５実施形態を示すものである。前記第３実施形態と同一構成部分は同一符号を用いている。本実施形態は給水管７ａの上流側にプレ活性炭フィルタ装置１０を設置したものである。このプレ活性炭フィルタ装置１０は内部に活性炭を充填したもので、これにより、水道水に浮遊しているゴミ等を予め除去することができるので、ミネラル水生成ユニット１の汚れを防止することができる。なお、その他の構成作用は前記第３実施形態と同様であるため、その説明を省略する。
【００４０】
図８は本発明に係るミネラル水供給装置の第６実施形態を示すものである。前記第５実施形態と同一構成部分は同一符号を用いている。本実施形態は、第１取水管８ａに取水バルブ６ｇを設置している。また、第１取水管８ａと第２取水管８ｂを接続するバイパス管８ｇを設けている。バイパス管８ｇの一端は導出筒１５１と取水バルブ６ｇとの間に接続し、他端はポンプ３と他方の浄水槽２ａとの間に接続し、各浄水槽２，２ａを迂回するようになっている。バイパス管８ｇにはこれの流水を制御するバイパスバルブ６ｈを設置している。
【００４１】
本実施形態によれば、バイパスバルブ６ｈを開き、取水管バルブ６ｇを閉じてポンプ３を駆動するときは、冷水タンク４内のミネラル水が、実線矢印に示すように、冷水取水管８ｃ→戻し管８ｅ→戻しバルブ６ｄ→ミネラル水生成ユニット１と順次流れる。また、ミネラル水生成ユニット１のミネラル水は第１取水管８ａ→バイパス管８ｇ→第２取水管８ｂ→冷水タンク４と順次循環する。これにより、浄水槽２，２ａを除く配管系を殺菌でき、また、冷水タンク４内のミネラル水の次亜塩素酸濃度を所望濃度に維持することができる。なお、その他の構成作用は前記第５実施形態と同様であるため、その説明を省略する。
【００４２】
図９は本発明に係るミネラル水供給装置の第７実施形態を示すものである。前記第１実施形態と同一構成部分は同一符号を用いている。本実施形態は炭酸ガス装置（炭酸ガスボンベ）１１を設置している。また、炭酸ガス装置１１の炭酸ガス供給管８ｈが冷水供給バルブ６ａの下流側の冷水取水管８ｃに接続している。炭酸ガス供給管８ｈにはガスバルブ６ｉが設置されている。冷水取水管８ｃの上流側には冷水タンク４内へのガス流通を規制する逆止弁６ｊが設置されている。
【００４３】
本実施形態によれば、冷却されたミネラル水に炭酸ガスを付加することができ、炭酸水を供給することができる。また、炭酸水は配管内のスケールを除去する機能を有しており、冷水取水管８ｃの配管詰まりを防止することができる。なお、その他の構成作用は前記第１実施形態と同様であるため、その説明を省略する。
【００４４】
図１０は本発明に係るミネラル水供給装置の第８実施形態を示すものである。前記第１実施形態と同一構成部分は同一符号を用いている。本実施形態は炭酸ガス装置（炭酸ガスボンベ）１１を設置している。また、炭酸ガス装置１１の炭酸ガス供給管８ｉが冷水タンク４に接続している。炭酸ガス供給管８ｉにはガスバルブ６ｋが設置されている。
【００４５】
本実施形態によれば、冷水タンク４のミネラル水に炭酸ガスを付加することができ、冷水タンク４がカーボネータタンクとしても機能する。これにより、炭酸水を生成することができることはもとより、炭酸水の殺菌効果により、冷水タンク４の殺菌効果が更に向上する。また、炭酸ガスは冷水タンク４内のスケールを防止する機能も発揮する。更に、炭酸ガスは従来の薬剤の如くミネラル水の味覚に与える影響が少ない。なお、その他の構成作用は前記第１実施形態と同様であるため、その説明を省略する。
【００４６】
図１１は本発明に係るミネラル水供給装置の第９実施形態を示すものである。前記第８実施形態と同一構成部分は同一符号を用いている。本実施形態は炭酸水を生成するカーボネータタンク４ａを設置するとともに、カーボネータタンク４ａに炭酸ガスを付加するようになっている。また、カーボネータタンク４ａには第２取水管８ｂの第３分岐管８ｂ３が接続している。また、第３分岐管８ｂ３には炭酸ガスの逆流を規制する逆止弁６ｍが設置されている。なお、冷水タンク４と同様に、カーボネータタンク４ａの周囲には冷却コイル４１ａが巻回され、冷却コイル４１ａに図示しない冷凍機の冷媒を循環させ、カーボネータタンク４ａに貯留されているミネラル水を冷却するようになっている。
【００４７】
本実施形態によれば、炭酸が含まれていない冷水と炭酸水とを別個に生成することができ、取水者に提供される冷水のバリエーションを増やすことができる。なお、その他の構成作用は前記第８実施形態と同様であるため、その説明を省略する。
【００４８】
図１２は本発明に係るミネラル水供給装置の第１０実施形態を示すものである。前記第８実施形態と同一構成部分は同一符号を用いている。本実施形態は炭酸ガス供給管８ｉから分岐して他の炭酸ガス供給管８ｊを配管し、この炭酸ガス供給管８ｊの先端を温水タンク５に接続している。また、温水取水管８ｄには排水弁６ｐが設置された排水管８ｋを接続している。
【００４９】
本実施形態によれば、炭酸ガスを冷水タンク４はもとより温水タンク５にも供給でき、加温の炭酸水を生成することができる。また、温水タンク５内のスケールを除去することができる。温水タンク５内のスケールを除去したときは、排水バルブ６ｐを開き、温水タンク５内の温水を排水管８ｋを通じて排水するようにしてもよい。なお、その他の構成作用は前記第８実施形態と同様であるため、その説明を省略する。
【００５０】
図１３は本発明に係るミネラル水供給装置の第１１実施形態を示すものである。前記第８実施形態と同一構成部分は同一符号を用いている。本実施形態は冷水タンク４の炭酸水を温水タンク５に供給する炭酸水供給管８ｍを有するとともに、炭酸水供給管８ｍに炭酸水供給バルブ６ｑを設置している。また、第２分岐管８ｂ２には分岐管バルブ６ｒが設置されている。なお、前記第１０実施形態（図１２）と同様に排水管８ｋ及び排水バルブ６ｐを設けている。
【００５１】
本実施形態によれば、ガスバルブ６ｋを開け炭酸ガスを冷水タンク４に供給する一方、炭酸水供給バルブ６ｑ及び排水バルブ６ｐを開き、他のバブル６ａ，６ｂを閉じ、ポンプ３を駆動する。これにより、冷水タンク４内では炭酸水が生成されると同時にこの炭酸水が炭酸水供給管８ｍを通じて温水タンク５に流れ、排水管８ｋから排水される。従って、温水タンク５内のスケールが炭酸水により除去される。
【００５２】
また、図示しないが、第９実施形態（図１１）に本実施形態の構成（炭酸水供給管８ｍ、炭酸水供給バルブ６ｑ、排水管８ｋ及び排水バルブ６ｐ）を適用し、カーボネータタンク４ａの炭酸水を温水タンク５に給水するときも同様の作用が発揮される。
【００５３】
なお、その他の構成作用は前記第８実施形態と同様であるため、その説明を省略する。
【００５４】
図１４は本発明に係るミネラル水供給装置の第１２実施形態を示すものである。前記第８実施形態と同一構成部分は同一符号を用いている。本実施形態は炭酸ガス供給管８ｉから分岐してガスバルブ６ｓを備えた他の炭酸ガス供給管８ｎを配管し、この炭酸ガス供給管８ｎの先端を第１取水管８ａに接続している。また、第１取水管８ａのミネラル水生成ユニット１側には炭酸ガスがミネラル水生成ユニット１に流入しないよう、逆止弁６ｔを設けている。
【００５５】
本実施形態によれば、ミネラル水生成ユニット１のミネラル水を各タンク４，５に供給する際、ガスバルブ６ｓを開いて炭酸ガスをミネラル水に混入することができる。従って、各タンク４，５にて炭酸濃度の高いミネラル水を生成することができる。なお、その他の構成作用は前記第８実施形態と同様であるため、その説明を省略する。
【００５６】
図１５は本発明に係るミネラル水供給装置の第１３実施形態を示すものである。前記第９実施形態と同一構成部分は同一符号を用いている。本実施形態はカーボネータタンク４ａで生成された炭酸水を前記第１取水管８ａに供給する炭酸水供給管８ｎを設けるとともに、第３分岐管８ｂ３に分岐管バルブ６ｖを設置している。
【００５７】
本実施形態によれば、ガスバルブ６ｋを開け炭酸ガスをカーボネータタンク４ａに供給する一方、炭酸水供給バルブ６ｕを開き、他のバブル６ａ，６ｂ，６vを閉じ、ポンプ３を駆動する。これにより、図１５の実線で示すように、カーボネータタンク４ａ内では炭酸水が生成されると同時にこの炭酸水が、炭酸水供給管８ｎ→第１取水管８ａ→浄水槽２→第２取水管８ｂ→第１及び第２分岐管８ｂ１，８ｂ２→冷水タンク４及び温水タンク５と順次流れる。これにより、第１取水管８ａから各タンク４，５に亘る配管系の殺菌作用及びスケール等の除去作用が発揮されるし、また、冷水タンク４及び温水タンク５でミネラル炭酸水が生成され、各タンク４内の殺菌効果が向上する。
【００５８】
また、本実施形態ではカーボネータタンク４ａ内の炭酸水を第１取水管８ａに供給するようになってるが、冷水タンク４を有しカーボネータタンク４ａをもたないタイプのものにも適用することができる。図示しないが、例えば、第８実施形態（図１０）の冷水タンク４内で生成された炭酸水を同じく炭酸水供給管を通じて第１取水管に供給するように構成するときも同様の作用を得ることができる。なお、その他の構成作用は前記第９実施形態と同様であるため、その説明を省略する。
【図面の簡単な説明】
【００５９】
【図１】第１実施形態に係るミネラル水供給装置の水回路図
【図２】第１実施形態に係るミネラル水生成ユニットの正面断面図
【図３】第１実施形態に係るミネラル水生成ユニットの側面断面図
【図４】第２実施形態に係るミネラル水供給装置の水回路図
【図５】第３実施形態に係るミネラル水供給装置の水回路図
【図６】第４実施形態に係るミネラル水供給装置の水回路図
【図７】第５実施形態に係るミネラル水供給装置の水回路図
【図８】第６実施形態に係るミネラル水供給装置の水回路図
【図９】第７実施形態に係るミネラル水供給装置の水回路図
【図１０】第８実施形態に係るミネラル水供給装置の水回路図
【図１１】第９実施形態に係るミネラル水供給装置の水回路図
【図１２】第１０実施形態に係るミネラル水供給装置の水回路図
【図１３】第１１実施形態に係るミネラル水供給装置の水回路図
【図１４】第１２実施形態に係るミネラル水供給装置の水回路図
【図１５】第１３実施形態に係るミネラル水供給装置の水回路図
【符号の説明】
【００６０】
１…ミネラル水生成ユニット、２，２ａ…浄水槽、３…ポンプ、４…冷水タンク、４ａ…カーボネータタンク、５…温水タンク、６ａ，６ａ１…冷水供給バルブ、６ｂ…温水供給バルブ、７ａ…給水管、１１…炭酸ガス装置、１４０…電解槽、１４２ａ，１４２ｂ…電極、Ａ…ミネラル水生成浄化部、Ｂ…冷温水生成部。
【図１】
2005118738.tif 000003
【図２】
2005118738.tif 000004
【図３】
2005118738.tif 000005
【図４】
2005118738.tif 000006
【図５】
2005118738.tif 000007
【図６】
2005118738.tif 000008
【図７】
2005118738.tif 000009
【図８】
2005118738.tif 000010
【図９】
2005118738.tif 000011
【図１０】
2005118738.tif 000012
【図１１】
2005118738.tif 000013
【図１２】
2005118738.tif 000014
【図１３】
2005118738.tif 000015
【図１４】
2005118738.tif 000016
【図１５】
2005118738.tif 000017